(57)【要約】【課題】紙束を綴じて保持するファイルフォルダにおいて、フォルダ本体と同材質の書類ファスナにより紙束を綴じることにより、破棄の際の分別作業を無くすこと。【解決手段】綴じ具１０は、断面Ｕ字状に折り曲げられた一端側に設けられ、先端に細先部１０ａ１を有すると共に紙束２０の一方の細長孔２０ａに挿入されるオス足部１０ａと、他端側に設けられ、前記細先部が挿入可能な第１の小孔１０ｂ１が形成されると共に前記紙束の他方の細長孔２０ｂに挿入されるメス足部１０ｂと、前記オス足部と前記メス足部との間に設けられ、前記細先部が挿入可能な第２の小孔１０ｃ１が形成された肩部１０ｃとを有し、前記紙束の一対の細長孔の間には前記オス足部の細先部が挿入可能な第３の小孔２０ｃが穿孔され、前記紙束上に前記メス足部と前記オス足部とが順に折り重ねられ、前記細先部が前記第１の孔と前記第３の孔と前記第２の孔とに入れ込まれて前記紙束を綴じる。【選択図】図１
2015226999.tif 000002
【特許請求の範囲】
【請求項１】
紙束を支持するシート状のフォルダ本体と、前記フォルダ本体に一体形成され、断面Ｕ字状に折り曲げられることにより前記紙束を貫通する一対の細長孔に挿入されて用いられる綴じ具とを備え、前記綴じ具により前記紙束を綴じて保持するファイルフォルダであって、
前記綴じ具は、
前記断面Ｕ字状に折り曲げられた一端側に設けられ、先端に細先部を有すると共に前記紙束の一方の細長孔に挿入されるオス足部と、
他端側に設けられ、前記細先部が挿入可能な第１の小孔が形成されると共に前記紙束の他方の細長孔に挿入されるメス足部と、
前記オス足部と前記メス足部との間に設けられ、前記細先部が挿入可能な第２の小孔が形成された肩部とを有し、
前記紙束の一対の細長孔の間には前記オス足部の細先部が挿入可能な第３の小孔が穿孔され、前記紙束上に前記メス足部と前記オス足部とが順に折り重ねられ、前記細先部が前記第１の孔と前記第３の孔と前記第２の孔とに入れ込まれて前記紙束を綴じることを特徴とするファイルフォルダ。
【請求項２】
前記綴じ具は、前記ファイル本体に切り込みによって形成されていることを特徴とする請求項１に記載されたファイルフォルダ。
【請求項３】
前記ファイル本体と前記綴じ具とは、紙により形成されていることを特徴とする請求項１または請求項２に記載されたファイルフォルダ。
【発明の詳細な説明】
【技術分野】
【０００１】
本発明は、複数の紙（紙束）を綴じて保持するファイルフォルダに関する。
【背景技術】
【０００２】
従来、紙束を綴じて保持するファイルフォルダは、例えば特許文献１に開示されるように、書類ファスナと呼ばれる金属製もしくは樹脂製の綴じ具を用いて、紙束を綴じるものである。
図６に特許文献１に開示されるファイルフォルダ４０及び書類ファスナ５０の斜視図を示す。また図７に、図６のファイルフォルダ４０に紙束６０を保持した状態の斜視図を示す。図６に示すように書類ファスナ５０は、長手方向に延びる胴部５１と、この胴部５１の両端から延びる一対の折り返し片５２、５３とを有する樹脂製の板素材からなり、樹脂シートをプレス工程等により切断して作られる。
【０００３】
前記板素材の胴部５１の長さは、ファイルフォルダ４０の綴じ穴４０ａの離間距離に対応している。また、一対の折り返し片５２、５３は、胴部５１の両端より折り曲がって、ファイルフォルダ４０の綴じ穴４０ａに差し込み可能な寸法に形成されている。
そして、図７に示すように書類ファスナ５０の折り返し片５２、５３を先にファイルフォルダ５０の綴じ穴５０ａに裏側から差し込んだ後、さらに紙束６０の綴じ穴６０ａに裏側から差し込み、図７に示すように表側に突出した折り返し片５２、５３を相寄る方向に折り曲げることによって、綴じ込むようになっている。
【先行技術文献】
【特許文献】
【０００４】
【特許文献１】特開２００７−２９０３５１号公報
【発明の概要】
【発明が解決しようとする課題】
【０００５】
しかしながら、前記のようにファイルフォルダに用いる従来の書類ファスナは金属製か、或いは特許文献１に開示されるように樹脂製であるため、例えばファイルフォルダを破棄する際に、分別のために書類ファスナを取り外す必要があり、作業が煩雑になるという課題があった。
【０００６】
本発明は、前記した点に着目してなされたものであり、紙束を綴じて保持するファイルフォルダにおいて、フォルダ本体と同材質の書類ファスナにより紙束を綴じることにより、破棄の際の分別作業を無くすことの出来るファイルフォルダを提供することを目的とする。
【課題を解決するための手段】
【０００７】
前記した課題を解決するために、本発明に係るファイルフォルダは、紙束を支持するシート状のフォルダ本体と、前記フォルダ本体に一体形成され、断面Ｕ字状に折り曲げられることにより前記紙束を貫通する一対の細長孔に挿入されて用いられる綴じ具とを備え、前記綴じ具により前記紙束を綴じて保持するファイルフォルダであって、前記綴じ具は、前記断面Ｕ字状に折り曲げられた一端側に設けられ、先端に細先部を有すると共に前記紙束の一方の細長孔に挿入されるオス足部と、他端側に設けられ、前記細先部が挿入可能な第１の小孔が形成されると共に前記紙束の他方の細長孔に挿入されるメス足部と、前記オス足部と前記メス足部との間に設けられ、前記細先部が挿入可能な第２の小孔が形成された肩部とを有し、前記紙束の一対の細長孔の間には前記オス足部の細先部が挿入可能な第３の小孔が穿孔され、前記紙束上に前記メス足部と前記オス足部とが順に折り重ねられ、前記細先部が前記第１の孔と前記第３の孔と前記第２の孔とに入れ込まれて前記紙束を綴じることに特徴を有する。
尚、前記綴じ具は、前記ファイル本体に切り込みによって形成されていることが望ましい。
【０００８】
このように構成することにより、紙面に綴じ具の足部を挿通して単に折り曲げるだけでなく、紙束の下面側に位置する肩部の第２の小孔と、紙束の第３の小孔と、紙束の上面側に位置するメス足部の第１の小孔とに、オス足部の細先部が入れ込まれることによって紙束の上面側から下面側までが略連結された状態となる。
即ち、本発明に係るファイルフォルダによれば、従来のような金属製や樹脂製の書類ファスナを用いなくても強固に紙束を綴じることができる。
また、綴じ具がフォルダ本体と同じ材質により一体形成されるため、例えば破棄する際に、分別作業を省くことができる。
また、前記ファイル本体と前記綴じ具とは、紙により形成されていることが望ましく、その場合には、破棄する場合に、綴じ具から紙束を外す必要なく、完全に分別作業を無くすことができる。
【発明の効果】
【０００９】
本発明によれば、紙束を綴じて保持するファイルフォルダにおいて、フォルダ本体と同材質の書類ファスナにより紙束を綴じることにより、破棄の際の分別作業を無くすことの出来るファイルフォルダを得ることができる。
【図面の簡単な説明】
【００１０】
【図１】図１は、本発明に係るファイルフォルダを略綴じた状態の斜視図である。
【図２】図２は、図１のファイルフォルダを開いた状態の斜視図である。
【図３】図３は、図２のファイルフォルダに書類（紙束）を綴じた状態を示す斜視図である。
【図４】図４（ａ）〜（ｄ）は、図１のファイルフォルダが備えるファスナ部（綴じ具）を拡大して示す斜視図である。
【図５】図５（ａ）〜（ｅ）は、図４のファスナ部により紙束を綴じる動作を説明するための断面図である。
【図６】図６は、従来のファイルフォルダの構成を示す斜視図である。
【図７】図７は、図６のファイルフォルダに紙束を綴じた状態の斜視図である。
【発明を実施するための形態】
【００１１】
以下、本発明に係るファイルフォルダの実施の形態を図面に基づき説明する。図１は、本発明に係るファイルフォルダを略綴じた状態の斜視図であり、図２は、図１のファイルフォルダを開いた状態の斜視図である。また、図３は、図２のファイルフォルダに書類（紙束）を綴じた状態を示す斜視図である。
【００１２】
図１乃至図３に示すように、ファイルフォルダ１は、例えば厚紙により形成され、折り筋が設けられることによって、図示するように二つ折りの状態に折り曲げ可能となされている。また、二つ折りされるため、表表紙３（ファイル本体）と裏表紙４（ファイル本体）とが形成され、表表紙３の一辺には、一部が突起した見出し部分２が形成されている。
このファイルフォルダ１において、表表紙３もしくは裏表紙４の一辺の縁部側には、切り込みによりファスナ部１０（綴じ具）が形成されている（本実施の形態では表表紙３の一辺の縁部側）。図３に示すように、このファスナ部１０によって、紙束２０が綴じられる。
【００１３】
図４（ａ）に拡大して示すように、ファスナ部１０は、使用前の状態においては、表表紙３（裏表紙４でもよい）に切り込みにより形成されている。ファスナ部１０は、その長手方向に３つの部位に分けられる。
具体的には、ファスナ部１０は、一端側に設けられたオス足部１０ａと、他端側に設けられたメス足部１０ｂと、それらの間に設けられた肩部１０ｃとからなる。前記オス足部１０ａは、図示するように先端に細先部１０ａ１を有し、メス足部１０ｂと肩部１０ｃには、その略中央の位置に円形の小孔１０ｂ１（第１の小孔）と、小孔１０ｃ１（第２の小孔）とがそれぞれ設けられている。
【００１４】
また、ファスナ部１０は、使用される際には、図４（ｂ）に示すように、オス足部１０ａとメス足部１０ｂとが肩部１０ｃに対して略直角となるように断面Ｕ字状に折り曲げられ、それらが綴じるべき書類（紙束）に形成された一対の細長孔に挿入されて用いられる。
より具体的に説明すると、図４（ｃ）に示すように、書類２０には、ファスナ部１０のオス足部１０ａが挿入可能な細長孔２０ａと、メス足部２０ｂが挿入可能な細長孔２０ｂと、それら細長孔２０ａ，２０ｂの間に位置し、ファスナ部１０の細先部１０ａ１が挿入可能な小孔２０ｃ（第３の小孔）とが形成されている。
尚、これら長孔２０ａ、２０ｂ、小孔２０ｃは、予め専用の穿孔具（図示せず）等を用いて書類２０に形成しておく必要がある。
【００１５】
そして、図４（ｃ）に示すように書類２０の下面側から、前記細長孔２０ａ、２０ｂに、それぞれファスナ部１０のオス足部１０ａとメス足部１０ｂとが挿入され、書類２０の上面側において上方に突出した状態となされる。また、このとき、書類２０の小孔２０ｃの位置とファスナ部１０の小孔１０ｃ１の位置が合った状態となる。
さらに、図４（ｄ）に示すように、先にメス足部１０ｂを内側に折り曲げ、小孔１０ｂ１と小孔２０ｃとの位置を合わせた状態で、その上からオス足部１０ａを内側に折り曲げ、細先部１０ａ１を縦に重なる３つの小孔１０ｂ１、２０ｃ、１０ｃ１に入れ込むことにより書類２０が綴じられる。
【００１６】
続いて、前記ファスナ部１０により書類２０を綴じる作業について、図５を用いて説明する。図５（ａ）〜（ｅ）は、ファイルフォルダ１のファスナ部１０により書類２０を綴じる工程を順に示す断面図である。
図５（ａ）に示すように書類２０には、予め専用の穿孔具（図示せず）等を用いて長孔２０ａ、２０ｂ、小孔２０ｃを形成しておく。
また、ファイルフォルダ１において、切り込みにより形成されたファスナ部１０のオス足部１０ａとメス足部１０ｂとを折り曲げて書類２０側に立ち上げる。
【００１７】
次いで、図５（ｂ）に示すように、前記ファスナ部１０のオス足部１０ａとメス足部１０ｂとを書類２０の長孔２０ａと長孔２０ｂとにそれぞれ挿入し、ファイルフォルダ１の裏表紙４上に書類２０を重ねる。
また、図５（ｃ）に示すように、書類２０の表側において、長孔２０ｂから突出したファスナ部１０のメス足部１０ｂを先に折り曲げ、その上からオス足部１０ａを折り重ねる。このとき、ファスナ部１０の小孔１０ｃ１と書類２０の小孔２０ｃとメス足部１０ｂ（ファスナ部１０）の小孔１０ｂ１とが縦に重なった状態となされる。
【００１８】
ここで、前記小孔１０ｃ１、２０ｃ、１０ｂ１は同じ径に形成されているが、図５（ｄ）に示すように、前記小孔の径よりも小さい径の押し棒３１を有する押し具３０等を用い、前記小孔の上に重ねられたオス足部１０ａの細先部１０ａ１を、前記小孔１０ｂ１、２０ｃ、１０ｃ１の順に押し込む。
これにより図５（ｅ）に示すように、ファスナ部１０によって書類２０が強固に綴じられた状態となる。
【００１９】
このように本発明に係る実施の形態によれば、紙面にファスナ部１０の足部を挿通して単に折り曲げるだけでなく、書類２０の下面側に位置する肩部１０ｃの小孔１０ｃ１と、書類２０の小孔２０ｃと、書類２０の上面側に位置するメス足部１０ｂの小孔１０ｂ１とに、オス足部１０ａの細先部１０ａ１が入れ込まれることによって書類２０の上面側から下面側までが略連結された状態となる。
即ち、本発明に係るファイルフォルダによれば、従来のような金属製や樹脂製の書類ファスナを用いなくても強固に紙束を綴じることができる。
また、ファスナ部１０が表表紙３及び裏表紙４と同じ材質（本実施の形態では厚紙）により一体形成されるため、例えば破棄する際に、分別作業を省くことができる。
【００２０】
また、綴じる書類の枚数が増えても、前記のように書類２０の上面側から下面側までを細先部１０ａ１によって連結することができるため、綴じた際の保持力（強度）を維持することができる。
尚、書類枚数が増えても対応できるように、ファスナ部１０のメス足部１０ｂに設ける小孔１０ｂ１の形状は、ファスナ部１０の長手方向に沿って延びる長円形に形成しておくことが望ましく、それにより、ファスナ部１０の足部を折り畳んだ際に小孔１０ｂ１と小孔２０ｃと小孔１０ｂ１とが厚さ方向に連通する状態とすることができる。また、オス足部１０ａに設ける細先部１０ａ１の長さは、少なくとも書類の厚さ分の長さを有するように予め長めに形成しておけばよい。
【００２１】
尚、前記実施の形態においては、ファイルフォルダ１は全て厚紙により形成されているものとしたが、材質は紙に限定されるものではなく、例えば、プラスチック樹脂により形成してもよい。
また、前記実施の形態においては、ファスナ部１０をファイルフォルダ１の折り筋が形成されている表表紙３の一辺側に設けたが、その構成に限定されるものではなく、その他の一辺の縁部側に設けてもよい。或いは複数の辺の縁部側にそれぞれ設けて、使用者が使うファスナ部１０を選ぶようにしてもよい。
【００２２】
また、前記実施の形態においては、フォルダ本体として、表表紙３と裏表紙４の二つ折りの構成を示したが、それに限らず、フォルダ本体を１枚の構成とし、その上に書類２０（紙束）を載せて支持するようにしてもよい。
また、前記実施の形態においては、表表紙３に切り込みによりファスナ部１０を設けることとしたが、それに限らず、ファスナ部１０をフォルダ本体と同材質により別個に形成しておき、例えば接着剤によりフォルダ本体（表表紙３など）に後付けしてもよい。
【符号の説明】
【００２３】
１          ファイルフォルダ
２          見出し部
３          表表紙
４          裏表紙
１０          ファスナ部
１０ａ        オス足部１０ａ
１０ａ１      細先部
１０ｂ        メス足部１０ｂ
１０ｂ１      小孔（第１の小孔）
１０ｃ        肩部
１０ｃ１      小孔（第２の小孔）
２０          書類（紙束）
２０ａ        長孔
２０ｂ        長孔
２０ｃ        小孔
【図１】
2015226999.tif 000003
【図２】
2015226999.tif 000004
【図３】
2015226999.tif 000005
【図４】
2015226999.tif 000006
【図５】
2015226999.tif 000007
【図６】
2015226999.tif 000008
【図７】
2015226999.tif 000009